(57)【要約】【課題】  水流抵抗によって回転する可動プロペラ・ブレードから発生する音をより複雑なものとし、水中へ効果的に音を伝える、釣用ルアーを提供する。【解決手段】  プロペラ７を回転自在に取り付けたワイヤ９が、ルアーボディー１の前部と後部で支持・連設される。ワイヤ９はラインアイ２とスイベルジョイント６によって支持される。さらにワイヤ９は、ルアーボディー下面に設置されたアイ１０，アイ１１を挿通している。アイ１０，アイ１１にはそれぞれ釣針１４，釣針１５が垂下され、連結にはスプリットリング１２，スプリットリング１３が好適である。また、回転するプロペラ７は折曲端部９２の凸部９２ａに干渉し、音と振動を発生させる。その結果ワイヤ９は動揺し、スイベルジョイント６，アイ１０、アイ１１との間で干渉音を発生する。【選択図】図４
2015198634.tif 000002
【特許請求の範囲】
【請求項１】
プロペラ・ブレードを回転自在に取り付けたワイヤが、ルアーボディーの前部と後部に支持・連設され、前記ワイヤは、ルアーボディー下面に設置されたアイを挿通していることを特徴とするルアー。
【請求項２】
回転する前記プロペラ・ブレードが、干渉可能となる形状に前記ワイヤの末端部を成形したことを特徴とする請求項１のルアー。
【請求項３】
前記ワイヤに取り付けられたプロペラ・ブレードが複数個である請求項１〜２のいずれかに記載のルアー。
【請求項４】
前記ワイヤの前端部を支持・連設する部材に、プロペラが回転自在に取り付けられている請求項１〜３のいずれかに記載のルアー。
【発明の詳細な説明】
【技術分野】
【０００１】  本発明はルアー、特に水流抵抗により運動するプロペラ・ブレードを有するタイプのルアーに関する。
【背景技術】
【０００２】  木製ルアー（疑似餌）や合成樹脂製ルアー、金属製ルアーを用いたルアーフィッシングが盛んに行われている。対象魚の種類等に応じて種々のルアーが使用されている。【０００３】  ルアーの中に、プロペラ・ブレードを有するものがある。これらのルアーは、ルアーボディーの頭部もしくは尾部に、金属線を回転軸としてプロペラ・ブレードが設置される。前記金属線の端部はルアーボディーに埋設されており、ルアーボディー外部へと延出した部位によって、プロペラ・ブレードを支持する。または、スイベルジョイントなどの連結具によってプロペラ・ブレードが支持される場合もある。（特許文献１及び２参照）【０００４】  これは、前記ルアーを釣糸（ライン）に結び、泳動させることで、プロペラ・ブレードが水流抵抗を受けて回転し、この回転するプロペラ・ブレードが光を反射しながら水を撹拌して気泡や水飛沫を生じ、音や振動を発生させることを目的としている。また、回転するプロペラ・ブレードが、回転軸となる部材と接触・干渉して音や振動を発生させることも目的としており、これらの効果によって魚の興味を引きつけようとするものである。【０００５】  しかし、こういった従来の、ルアーボディーにプロペラ・ブレードが設置されたルアーでは、プロペラ・ブレードの回転軸となる金属線の全長の大部分がルアーボディー内部に埋設されているため、回転するプロペラ・ブレードと金属線との間に生じる音の発生源が局所的なものに限定されてしまう欠点があり、発生する音を水中へ伝えるという点で未だ不十分であった。【０００６】  音をより効果的に水中へ伝えようとした場合、音をよく響かせる素材によってルアーボディーを形成する必要があった。
【先行技術文献】
【特許文献】
【０００７】
【特許文献１】特開平１１−１５５４２３
【特許文献２】特開２００１−２０４３０１
【発明の概要】
【発明が解決しようとする課題】
【０００８】  本発明はかかる事情に鑑み、ルアーボディーの素材に関係なく、プロペラ・ブレードの回転運動・反復運動によって発生する音を、効果的に水中へ伝え、かつ複雑な音を発生させることで高い釣果を期待し得る釣用ルアーを提供することを目的とする。
【課題を解決するための手段】
【０００９】  上記目的を達成するために、本発明は、プロペラ・ブレードを回転自在に取り付けたワイヤが、ルアーボディーの前部と後部で支持され、前記ワイヤは、ルアーボディー下面に設置されたアイを挿通していることを特徴とした釣用ルアーである。（請求項１）【００１０】  また、本発明のルアーにおいて、前記ワイヤに取り付けられた前記プロペラ・ブレードが回転運動・反復運動をする際に干渉するように前記ワイヤの末端部が折曲成形されていることも第２の特徴とする。（請求項２）【００１１】  他に、本発明のルアーにおいて、プロペラ・ブレードを複数個取り付けること、前記ワイヤの前端部を支持・連設する部材に、プロペラを回転自在に取り付けることも第３、第４の特徴とする。（請求項３、４）
【発明の効果】
【００１２】  本発明によれば、釣糸を引いてルアーを泳動させると、可動プロペラ・ブレードは水流抵抗を受けて回転し、音や振動を発生する。これらの可動プロペラ・ブレードは、ルアーボディー外部に露出した状態で支持された金属のワイヤに取り付けられているため、効果的に水中へ音を伝えることができる。また、回転した可動プロペラ・ブレードがワイヤ末端部に干渉し、音や振動を発生する。それに加えて、可動プロペラ・ブレードによって発生した振動がワイヤを動揺させることで、ワイヤを支持する部材にワイヤが干渉し、音を発生する。これらの結果、発生する音はより複雑なものとなり、高い集魚効果・高い釣果を期待することができる。
【図面の簡単な説明】
【００１３】
【図１】本発明の第１の実施形態における釣用ルアーの構成例を示す側面図である。
【図２】本発明の第１の実施形態における釣用ルアーの構成例を示す下面図である。
【図３】本発明の第１の実施形態における釣用ルアーの構成例を示す平面図である。
【図４】本発明の第１の実施形態における釣用ルアーの構成例を後方下部視点から示す図である。
【図５】図１の釣用ルアーのプロペラが回転するようすを示した図である。
【図６】本発明の第２の実施形態における釣用ルアーの構成例を示す側面図である。
【図７】本発明の第３の実施形態における釣用ルアーの構成例を示す側面図である。
【図８】本発明の第４の実施形態における釣用ルアーの構成例を示す側面図である。
【図９】本発明の第５の実施形態における釣用ルアーの構成例を示す側面図である。
【発明を実施するための形態】
【００１４】  以下、図面に基づき、本発明による釣用ルアーの好適な実施の形態を説明する。
【実施例１】
【００１５】  図１，図２，図３，図４は、本発明の第１の実施形態のよる釣用ルアーの構成例を示している。図５は、図１の釣用ルアーのプロペラが回転するようすを示した図である。
ルアーボディー１は木材または合成樹脂など適宜の素材で成形される。ルアーボディー１の前端部にはラインアイ２が設置される。ラインアイ２はルアーボディー１に埋設された金属線であり、ルアーボディー１の内部から外部へと延出した部分を環状とすることで、ライン（釣糸）を結びつける箇所としての役割を持たせたものである。ラインアイ２に釣糸２０を結びつけて、釣糸２０を引くことでルアーが泳動する。【００１６】  ルアーボディー１の下面にはアイ１０，アイ１１が設置されておりそれぞれから釣針１４，釣針１５が垂下される。アイ１０，アイｌ１と釣針１４，釣針１５の連結にはスプリットリング１２，スプリットリング１３が好適である。【００１７】  ワイヤ９がアイ１０，アイ１１を挿通し、ワイヤ９の前端部である折曲端部９１がラインアイ２に支持される。折曲端部９１がルアーボディー１を損傷させないためのスペーサーとして、ビーズ部材３が好適である。
また、ワイヤ９はルアーボディー１の後端に連結具を介して支持されており、その連結具としてスイベルジョイント６が好適である。スイベルジョイント６はネジ５によってルアーボディー１の後端に設置される。また、スイベルジョイント６の干渉によるルアーボディー１への損傷を抑えるためのスペーサーとして、ワッシャー部材４が好適である。
さらに、ワイヤ９の後端にはプロペラ７が回転自在に取り付けられる。プロペラ７の後ろにはワッシャー部材８が取り付けられ、これによりプロペラ７の回転が円滑になる。そして、プロペラ７，ワッシャー部材８は折曲端部９２によって脱落せずに支持される。【００１８】  また、折曲端部９２には凸部９２ａが設けられており、水流抵抗を受けて回転するプロペラ７はこの凸部９２ａに干渉し、効果的に音・振動を発生する。このとき発生する振動はワイヤ９を動揺させる。【００２０】  上記構成において、釣糸２０を引いてルアーを泳動させると、プロペラ７が回転する。プロペラ７はルアーボディー１の外部に露出したワイヤ９を回転軸として支持されるため、効果的に水中へ音を伝えることが可能である。また、プロペラ７は凸部９２ａに干渉することでも音と振動を発生し、この振動がワイヤ９を動揺させる。動揺したワイヤ９は、これを支持・連設するアイ１０，アイ１１及びスイベルジョイント６などに干渉することで、さらに音を発生させる。以上の結果、複雑な音を発生させることと、効果的に音を水中へ伝えることが可能となり、高い釣果を期待し得る。
【実施例２】
【００２１】  つぎに、本発明による釣用ルアーの第２の実施形態を説明する。
図６は、本発明の第２の実施形態によるルアーの構成例を示している。この例ではラインアイ２に、プロペラ１６が回転自在に取り付けられる。また、プロペラ１６の後方には、回転を円滑にするためにワッシャー部材１７が取り付けられる。プロペラ１６は、ワッシャー部材１７を介して、ワイヤ９と接する。この構成でルアーを泳動させると、水流抵抗を受けたプロペラ７，プロペラ１６はともに回転することで音・振動を発生する。プロペラ７の回転によって生じる音・振動に加えて、プロペラ１６の回転によって生じる音・振動がワイヤ９に伝わるため、ルアーが発生させる音はより複雑なものとなる。この点でも高い釣果を期待し得る。
【実施例３】
【００２２】  つぎに、本発明による釣用ルアーの第３の実施形態を説明する。
図７は、本発明の第３の実施形態によるルアーの構成例を示している。この例ではプロペラ７にかわってブレード１８が、ワイヤ９の後端部に回転自在に取り付けられる。ブレードｌ８は、プロペラ７同様に水流抵抗により回転して音・振動を発生させる。ブレード１８は、部材の端部を回転軸とするため、回転により発生する振動はより大きなものとなり、この実施形態を特徴づける。
【実施例４】
【００２３】  つぎに、本発明による釣用ルアーの第４の実施形態を説明する。
図８は、本発明の第３の実施形態によるルアーの構成例を示している。この例ではワイヤ９が挿通するアイ１１と、アイ１１に連設されるスプリットリング１３，釣針１５を省略したものである。これによりルアーの全長を短縮することが可能となり、魚が小さなルアーに興味を示す状況に対応できる。
【実施例５】
【００２４】  つぎに、本発明による釣用ルアーの第５の実施形態を説明する。
図９は、本発明の第５の実施形態によるルアーの構成例を示している。ルアーボディー１の下面に、折曲端部９１を支持するためのアイ１９を設置した例である。【００２５】  なお、本発明は、上述した実施形態にのみに限定するものではなく、必要に応じて適宜変更、設定可能であり、上記実施形態と同様な作用効果を得ることができる。
たとえば、ルアーに取り付ける部品の形状・素材およびその数量、その配列様式、可動部の形状・素材につき、種々の組み合わせが可能であり、図示例の場合のみに限らない。
【産業上の利用可能性】
【００２６】  本発明のルアーはより複雑な音を発生し、効果的に水中へ音を伝えることで魚の興味を引くことができる。よって、本発明のルアーは、釣用ルアーとして好適に使用され、広く社会に提供される。
このことは、趣味の域とはいえ、魚を釣るというスポーツを通して心の安らぎとリフレッシュのひと時を与え、ひいては幅広く釣具が普及することにより、釣具産業の需要拡大・発展を確信するものである。
【符号の説明】
【００２７】  １  ルアーボディー
２  ラインアイ
３  ビーズ部材
４  ワッシャー部材
５  ネジ
６  スイベルジョイント
７  プロペラ
８  ワッシャー部材
９  ワイヤ
１０，１１  アイ
１２，１３  スプリットリング
１４，１５  釣針
１６  プロペラ
１７  ワッシャー部材
１８  ブレード
１９  アイ
２０  釣糸
９１  折曲端部
９２  折曲端部
９２ａ  凸部
【図１】
2015198634.tif 000003
【図２】
2015198634.tif 000004
【図３】
2015198634.tif 000005
【図４】
2015198634.tif 000006
【図５】
2015198634.tif 000007
【図６】
2015198634.tif 000008
【図７】
2015198634.tif 000009
【図８】
2015198634.tif 000010
【図９】
2015198634.tif 000011